(57)【要約】      （修正有）【課題】ポケットティッシュをよりコンパクトに携帯しやすく、かつティッシュを迅速に取り出しやすくするための入れ物を提供する。【解決手段】ポーチ本体は取手の付いた細い横長の鞄型で構成する。ポケットティッシュの束を二つに折ってちょうど入る位の横幅と高さと奥行きを備えたサイズにする。ポーチの上部には挿入と取り出し兼用の上部開口部１３を設ける。外付けの携帯用としてチェーン５と共にチェーン取り付け用のループ７を設ける。こうして持ち歩き、必要な時にティッシュを１枚ずつ取り出して使う。【選択図】図４
0003168531.tif 000002
【実用新案登録請求の範囲】
【請求項１】
ティッシュペーパーの束を山形に二つ折に曲げて挿入できる上部開口部１３を有すると共に、該上部開口部１３よりペーパーを一枚ずつ取り出し可能としたことを特徴とする横長サイズのポケットティッシュポーチ。
【請求項２】
ティッシュペーパー収納部は二つ折りティッシュの束２の形状に合わせたサイズで、ティッシュの束がちょうど収まる位の横幅と高さと奥行きを備えていることを特徴とする請求項１記載のポケットティッシュポーチ。
【請求項３】
携帯電話のストラップキー・キーホルダー・鞄・ベルト・洋服などに装着できるように、本体の横上部にチェーン５とチェーン通しループ７を設けていることを特徴とする請求項１及び２記載のポケットティッシュポーチ。
【考案の詳細な説明】
【技術分野】
【０００１】
本考案は、ポケットティッシュを携帯するケースに関する。
【背景技術】
【０００２】
従来からあるティッシュカバーやティッシュケースは、市販または無料配布のティッシュ図１を平らなままでティッシュカバー及びケースに入れるのが代表的であるが、入れづらさがある。また、そのティッシュを入れたティッシュケース及びカバーを鞄の中に入れて持ち歩く為、ティッシュケース及びカバーからティッシュを取り出す手間だけでなく、必要時には、いちいち鞄の中からケース及びカバーを探して取り出し、ティッシュを取り出した後に鞄の中に戻さなければならない手間の煩わしさがあり、使い勝手が不便である。また、硬度のない布帛や編地のカバーを使用すると、ティッシュの残量が少なくなった時、鞄の中でカバーごと撚れてしまう。逆に硬度のあるケースを鞄の中に入れて持ち歩くと、残量が少なくなった時そのケースの中でティッシュが偏って沈んでしまうなどの欠点がある。衣服のポケット等に入れてティッシュケース及びカバーを持ち歩いても同様の欠点が生じる。  
【０００３】
例えば、携帯用ティッシュとして（登録実用第３１５９１８７号公報）が提案されている。このポケットティッシュは携帯が出来ると共に、使用済のティッシュペーパーも保管出来る機能を有している。
【０００４】
ティッシュの必要時にいちいち手提げ袋や鞄の中を開けて捜し出し、取り出した後には再び手提げ袋や鞄の中に収納するという動作は面倒でかつ煩わしいし、鞄の中でカバーごと撚れて偏ってしまうという欠点の改善には至っていない。また、使用済みティッシュをティッシュカバーの中に入れることはティッシュカバーその物が嵩高になってしまい、ポケットティッシュを便利でコンパクトに持ち歩くという目的からは、かけ離れてしまう。
【０００５】
また、ティッシュを持ち歩く為に、紙箱に入った家庭用ティッシュを箱ごと携帯できる鞄が提案されている。（特開２００４−６５３６８号公報）
【０００６】
しかしながら、箱ごと入れて携帯する鞄はあまりにもサイズが大きく、買い物などで荷物の増えるショッピングや、持物を少なくして軽装で出かける旅行等には、不都合が生じる。
【先行技術文献】
【特許文献】
【０００７】
【特許文献１】登録実用第３１５９１８７号公報
【特許文献２】特開２００４−６５３６８号公報
【考案の概要】
【考案が解決しようとする課題】
【０００８】
この考案は従来の携帯用ポケットティッシュカバー及びケースにおけるこのような欠点を解消するティッシュカバーの提供を目的とするものである。
【課題を解決するための手段】
【０００９】
上記課題を達成するためになされた考案は、
ポケットティッシュポーチ本体に持ち歩くためのチェーン５と、チェーン５を取り付けるためのループ７を設けることで、携帯電話やキーホルダー、手提げ袋や鞄、ベルトや洋服などへの取り付けを可能としている。いちいち手提げ袋や鞄の中を開けてポケットティッシュを探して取り出し、再び手提げ袋や鞄の中に戻すという不便さ、煩わしさの改善を確実なものとすることができる。ファッション性を持たせるために取手９を設けているがチェーン５と同様の使い方が可能である。
【００１０】
市販及び無料配布のポケットティッシュを二つ折りにした状態のティッシュ図２及び図８がちょうど収まる位の横長の形状図３と図９で、上部開口部１３より入れる態様図７と図１０である。開口部が広く、ティッシュの補充が簡単容易にできる利点がある。また、二つ折りにすることで、正面の面積も約半分に縮小されるのため、見た目がコンパクトでより携帯に好ましくなる。
【００１１】
ポケットティッシュポーチ本体の使用生地に適度の柔軟性と硬さがあるので形状を保ちやすく、ポケットティッシュの残量が減っても鞄の中でカバーごと撚れることがなくなる。また、ケースの中で偏って沈んでしまうこともなくなり、最後までティッシュの取り出しが容易になるので、使い勝手が良くなる。
【考案の効果】
【００１２】
以上説明したように、本考案のポケットティッシュポーチは、ポケットティッシュを二つ折り図２と図８で入れるため、よりコンパクトなデザインになり、ポケットティッシュポーチ本体を携帯電話やキーホルダー、手提げ袋や鞄、洋服のポケットやベルトなど、いたる所に取り付けができる。また、ポケットティッシュに見えない外観を持ち、ファッション性を兼ね備えている。開口部が広くティッシュの取り出しやすさもさることながら、鞄や手提げ袋の中を捜すことなく必要な時に迅速にティッシュが取り出せるという優れた効果を成し得るため、大変便利で使い勝手が良く、不都合を十分改善することができる。
【図面の簡単な説明】
【００１３】
【図１】・・・市販及び無料配布のポケットティッシュの斜視図
【図２】・・・ポケットティッシュを山形の二つ折りにした斜視図
【図３】・・・ポケットティッシュポーチ本体の正面図
【図４】・・・ポケットティッシュポーチ使用状態の図
【図５】・・・ポケットティッシュポーチ本体の背面図
【図６】・・・ポケットティッシュポーチの横断面
【図７】・・・ポケットティッシュポーチ上部開口時の正面図
【図８】・・・袋入りポケットティッシュを山形の二つ折りにした斜視図
【図９】・・・実施例２を示す本体の正面図
【図１０】・・実施例２を示す使用状態の図
【考案を実施するための形態】
【００１４】
以下、図面を参照しつつ本考案の実施の形態を説明する。
図３と図９及び図５は本考案の第一実施形態に係る携帯用ポケットティッシュポーチを示している。本体実施形態に係るポケットティッシュポーチにはポーチ本体６とその外部に設けられた外付け用のチェーン部５とチェーンをつけるためのループ部７、持ち運び用の本体上部の取手部９、ティッシュ抑えの部ゴム３、係止具４で主に構成されている。
【００１５】
このポーチ本体６は、横長形かつ袋状の部材であり、ポケットティッシュ挿入口と取り出し口が同じ上部開口部１３であることを特徴としている。
【００１６】
この上部開口部１３の形状は、とくに限定されず、自由に形状を形成することができる。フラップ部分８の形状も限定されず、自由な形状とすることができる。例として長方形、三角形、花弁形、フラップなし図９などを採用できる。
【００１７】
係止具４はポーチ本体２及びフラップ８にそれぞれ取り付けられる一対の部材である。部材の種類としては限定されず、本体ポーチ２の形状及びフラップ８の形状に従ってホックやマグネットや掛け釦などの止め釦や、凹凸面状テープのように繰り返して貼り付け引き剥がしが可能な貼付部材や、ファスナー、などで接続される。
【００１８】
ポーチ本体の素材の種類としては、とくに限定されず、皮革、合成皮革、織布、不織布、編地から構成される布帛を使用することができ、これらの資材を縫着または、接着して製作することができる。
【００１９】
ポーチ本体６のサイズは、市販や無料配布されているポケットティッシュが山形の二つ折り図２と図８で収納できるサイズであれば、とくに限定されず、ポケットティッシュの形状やサイズに応じて調整することで、収納時におけるコンパクト性やポーチ本体とポケットティッシュの良好なフィット性を実現することができる。
【実施例１】
【００２０】
図３の使用時、市販及び無料配布のティッシュの束図1の外袋１は、付けたまま図８であっても、外袋１をはずして山形の二つ折り図２であってもこの案件の考案には変わりはない。まず、ティッシュの束図1を山形の二つ折図２又は図８にし、開口部のゴム3を横によけるようにして、山形の二つ折ティッシュ２を上部開口部より入れる図７。ゴム３がティッシュの上に掛かるよう図７にしてフラップ８を閉じ携帯する。必要時にふたを開け、１枚ずつ取り出して使う図４。
【実施例２】
【００２１】
図９の使用時、市販及び無料配布のティッシュの束図1の外袋１は、付けたままで図８あっても、外袋１をはずして山形の二つ折り図２であってもこの案件の考案には変わりはない。実施は、ティッシュの束図1を山形の二つ折図２また図８にし、ファスナー１１を開けて、山形の二つ折ティッシュ２を上部開口部１３より入れる図８。ファスナー１１を閉じて携帯し、必要時にファスナーを開け、１枚ずつ取り出して使う図１０。
【産業上の利用可能性】
【００２２】
以上のように本考案のポケットティッシュポーチは、従来のポケットティッシュ入れよりさらにコンパクトで、持ち歩く為の利便性を備え、ファッション性が加味されており、携帯性に非常に優れている。
【符号の説明】
【００２３】
1 ・・・ティッシュ袋
2・・・ポケットティッシュ
３・・・ゴム
４・・・マグネット
５・・・チェーン
６・・・ポケットティッシュポーチ本体
７・・・チェーン通しループ
８・・・フラップ
９・・・取手
１０・・飾り
１１・・ファスナー
１２・・ファスナースライダー
１３・・上部開口部
【図１】
0003168531.tif 000003
【図２】
0003168531.tif 000004
【図３】
0003168531.tif 000005
【図４】
0003168531.tif 000006
【図５】
0003168531.tif 000007
【図６】
0003168531.tif 000008
【図７】
0003168531.tif 000009
【図８】
0003168531.tif 000010
【図９】
0003168531.tif 000011
【図１０】
0003168531.tif 000012